(57)【特許請求の範囲】
【請求項１】
整流部（２Ａ）及びその左右のアーム部（２Ｂ）を有するデフレクタ（２）と、この左右アーム部（２Ｂ）の後部を枢支すべく屋根（３）側に固定された支持体（４）と、屋根開口部（６）を開閉するルーフパネル（７）の開放動作と連動してデフレクタ（２）を前上がり動作させる付勢手段（５）とを備え、前記左右アーム部（２Ｂ）と支持体（４）の一方に横軸（８）を、他方にこの横軸（８）を前後移動可能に支持する支持部（９）をそれぞれ設け、かつ前記左右アーム部（２Ｂ）と支持体（４）の一方に係合部（１０）を、他方にこの係合部（１０）と係合していてデフレクタ（２）の前上がり動作でこのデフレクタ（２）を前方移動させるカム部（１１）をそれぞれ設けていることを特徴とするサンルーフのデフレクタ装置。
【請求項２】
前記カム部（１１）はデフレクタ（２）の整流部（２Ａ）を略垂直上昇させる円弧カム溝であることを特徴とする請求項１に記載のサンルーフのデフレクタ装置。
【請求項３】
前記カム部（１１）はデフレクタ（２）の整流部（２Ａ）を略垂直上昇させた後に前上方移動させる円弧カム溝であることを特徴とする請求項１に記載のサンルーフのデフレクタ装置。
【請求項４】
前記横軸（８）及び係合部（１０）を左右各アーム部（２Ｂ）に設け、支持部（９）及びカム部（１１）を支持体（４）に設け、係合部（１０）をピンで形成し、支持部（９）を前後方向の長孔で形成していることを特徴とする請求項１〜３のいずれかに記載のサンルーフのデフレクタ装置。
【請求項５】
前記付勢手段（５）を板バネで形成して、その前部をアーム部（２Ｂ）に支持し、後部を支持体（４）に当接していることを特徴とする請求項１〜４のいずれかに記載のサンルーフのデフレクタ装置。
【発明の詳細な説明】
【０００１】
【発明の属する技術分野】
本発明は、乗用車等の乗り物の屋根に装備されるサンルーフのデフレクタ装置に関するものである。
【０００２】
【従来の技術】
乗用車用サンルーフのデフレクタ装置は、実公平３−２６９７６号公報に開示されているように、屋根開口の両端部に後端部が枢支された左右一対のアームの前端部をもってエアデフレクタの両端部を支持し、前後方向を向くリンクの前端部を開口の両側部に、後端部をアームの中間部にそれぞれ横軸を介して枢着し、アームの後端部と開口の側部との何れか一方に前後方向長孔を設け、該長孔にアーム支持軸を摺動自在に嵌合し、アームとリンクとの間にアームを起立させるねじりばねを設けており、エアデフレクタの昇降に伴ってリンクが起倒することにより、アームの後端部が前後動するように構成されている。
【０００３】
即ち、前記従来技術は、デフレクタが前上がり姿勢となるとき、リンクは前端部を中心に後端部が上昇するように揺動し、アームはの後端部が前動しながら前端部が上昇し、エアデフレクタを上昇するにつれて前進させるか、又は少なくとも上昇時に後退しないようようになっている。
【０００４】
【発明が解決しようとする課題】
前記従来技術においては、エアデフレクタの昇降軌跡は、アームの後端中心の上昇回動とリンクの前端中心の回動との関係で決定されており、リンクの両端の位置を正確に設定しなくてはならないので昇降軌跡を決定し難く、またどのような軌跡にするかその裁量の自由度が小さく、エアデフレクタが対面する屋根開口の壁面との関係を良好にし難くなっている。
【０００５】
また、屋根開口を開閉する可動ルーフを案内するガイドレールにアームとリンクとを別個に支持しており、それらの加工及び組立てが面倒であり、リンクを必要とするため部品点数が多くなっている。
本発明は、前記従来技術の問題点に鑑み、屋根側に支持体を設け、この支持体と左右アーム部とに、横軸及びこれを前後移動可能に支持する支持部と、係合部及びこの係合部に係合するカム部とを設けることにより、デフレクタの昇降軌跡を簡単かつ大きい自由度で決定でき、しかも加工及び組立てが簡単で部品点数の削減もできるようにしたサンルーフのデフレクタ装置を提供することを目的とする。
【０００６】
【課題を解決するための手段】
本発明における課題解決のための具体的手段は、整流部２Ａ及びその左右のアーム部２Ｂを有するデフレクタ２と、この左右アーム部２Ｂの後部を枢支すべく屋根３側に固定された支持体４と、屋根開口部６を開閉するルーフパネル７の開放動作と連動してデフレクタ２を前上がり動作させる付勢手段５とを備え、前記左右アーム部２Ｂと支持体４の一方に横軸８を、他方にこの横軸８を前後移動可能に支持する支持部９をそれぞれ設け、かつ前記左右アーム部２Ｂと支持体４の一方に係合部１０を、他方にこの係合部１０と係合していてデフレクタ２の前上がり動作でこのデフレクタ２を前方移動させるカム部１１をそれぞれ設けていることである。
【０００７】
これによって、デフレクタ２の昇降軌跡はカム部１１の形状で簡単かつ大きい自由度で決定され、デフレクタ２の昇降動作に必要な横軸８、支持部９、係合部１０及びカム部１１は、左右アーム部２Ｂと支持体４とに集中して設けられる。本発明における課題解決のための第２の具体的手段は、第１の具体的手段に加えて、前記カム部１１はデフレクタ２の整流部２Ａを略垂直上昇させる円弧カム溝であることである。
【０００８】
これによって、カム部１１の円弧カム溝で、デフレクタ２が後部を中心に回動するときの前部の整流部２Ａの上昇軌跡を略垂直上昇に決定でき、カム部１１の溝形状で、簡単かつ自由に決定できる。
本発明における課題解決のための第３の具体的手段は、第１の具体的手段に加えて、前記カム部１１はデフレクタ２の整流部２Ａを略垂直上昇させた後に前上方移動させる円弧カム溝であることである。
【０００９】
これによって、カム部１１の円弧カム溝で、デフレクタ２が後部を中心に回動するときの前部の整流部２Ａの上昇軌跡を決定でき、カム部１１の溝形状で、単なる略垂直上昇だけでなく、前上方移動も簡単かつ自由に決定できる。
本発明における課題解決のための第４の具体的手段は、第１〜３のいずれかの具体的手段に加えて、前記横軸８及び係合部１０を左右各アーム部２Ｂに設け、支持部９及びカム部１１を支持体４に設け、係合部１０をピンで形成し、支持部９を前後方向の長孔で形成していることである。
【００１０】
これによって、横軸８、係合部１０、支持部９及びカム部１１は、左右各アーム部２Ｂ及び支持体４に簡単かつ容易に設けられる。
本発明における課題解決のための第５の具体的手段は、第１〜４のいずれかの具体的手段に加えて、前記付勢手段５を板バネで形成して、その前部をアーム部２Ｂに支持し、後部を支持体４に当接していることである。
【００１１】
これによって、デフレクタ２の昇降に必要な部及び部材が総てデフレクタ２と支持体４との間に設けられ、ユニットとして組み立てて屋根３側に取り付けられる。
【００１２】
【実施の形態】
以下、本発明の実施の形態を図面に基づいて説明する。
図１〜４に示す第１の実施の形態において、１３は乗用車の屋根３に取り付けられたサンルーフ装置で、ルーフパネル７をチルト動作及びスライド動作させることにより、屋根３に形成した開口部６を開閉するように構成されている。ルーフパネル７は透明ガラス、合成樹脂又はその他の材料で形成されており、その周囲に取り付け枠１４を介してウエザーストリップ１５が設けられている。
【００１３】
屋根３の下面側にはフレーム１６が取り付けられている。このフレーム１６は一体物又は複数の部材が結合された枠構造体であり、左右側部はガイドレール１７で形成されている。このガイドレール１７はフレーム１６と別個に形成してその左右上部に配置しても良い。
前記フレーム１６の外周部分には樋部１６Ａが形成され、雨水を排水可能になっており、この樋部１６Ａより外周側で屋根３に取り付けられている。また、フレーム１６の内側部分が内開口部となっており、サンシェードにより開閉自在になっている。前記フレーム１６には、モータ又はハンドルなどでギヤを回動し、ギヤと噛合したケーブルを押し引き駆動する駆動機構が取り付けられている。
【００１４】
ガイドレール１７にはスライダがケーブルによって前後摺動自在に支持され、スライダとルーフパネル７との間にはルーフパネル７をチルト動作させる昇降機構が設けられている。前記ルーフパネル７をチルト動作及びスライド動作させる機構は公知技術が利用できる。
１はサンルーフ装置１３に装備したデフレクタ装置であり、ルーフパネル７の開閉動作に連動して、デフレクタ２を図１実線で示す作用姿勢Ａと２点鎖線で示す収納姿勢Ｂとに姿勢変更可能にしている。
【００１５】
デフレクタ２は前部の整流部２Ａとその左右両端から後方に突出したアーム部２Ｂとを、金属又は合成樹脂等で一体成形又は別個に形成して固着したものであり、整流部２Ａは開口部６の前縁に沿って配置されている。
前記整流部２Ａには左右方向全長にわたってラバー１８を有し、このラバー１８は整流部２Ａの内部に固着されていて下部が前方に突出しており、整流部２Ａの前面で作用姿勢Ａにあるとき屋根３の上面に沿って流れてくる風を後上方向に整流し、ラバー１８で屋根３との隙間から車両内に風が巻き込まれるのを防止する。
【００１６】
左右各アーム部２Ｂは溝が下向きの断面コ字形状で、その後部に左右方向突出状の横軸８と係合部１０を形成するピンとを有し、上面がルーフパネル７と摺接する摺接面２Ｃとなっている。
ガイドレール１７に固定の支持体４は、金属又は合成樹脂等で形成されていて、ガイドレール１７内、特に樋部１６Ａ内に嵌め込んで、その取り付け部４Ａをビスを介して固定しており、この支持体４は立ち上がり壁４Ｂに、アーム部２Ｂの横軸８を貫通支持する支持部９と、係合部１０を貫通係合するカム部１１とが形成されている。
【００１７】
支持体４の支持部９は前後方向に長い長孔となっており、横軸８は先端が２つ割の亀頭形状で、支持部９に容易に挿入できるが、安易に抜け出ないようになっており、支持部９に挿入した横軸８は回動自在であると同時に前後方向に若干移動可能である。
支持体４のカム部１１は後下から前上に延びる円弧溝となっており、挿入したピン製の係合部１０を、上昇に伴って後下から前上に案内する。
【００１８】
５はデフレクタ２を弾力的に持ち上げる付勢手段であり、アーム部２Ｂ内部に配置された板バネで形成されており、その前部はアーム部２Ｂの中途部に設けた取り付け部２１に固着され、中途部は下向きに湾曲され、後部は反り返るように形成されかつ支持体４の基部上面に当接されている。
デフレクタ２は左右アーム部２Ｂに前記板バネ製付勢手段５を取り付けた状態で支持体４を結合して１つのユニットに構成され、その状態でフレーム１６に取り付けられる。
【００１９】
ルーフパネル７の下面の左右側部には、アーム部２Ｂの上面に摺接可能な押し下げ体２２が設けられており、ルーフパネル７が開口部６を開放する位置から閉鎖する位置に移動するとき、作用姿勢Ａのデフレクタ２のアーム部２Ｂの摺接面２Ｃに押し下げ体２２が当接して、付勢手段５に抗してデフレクタ２を収納姿勢Ｂまで押し下げるようになっている。
【００２０】
図１、４において、ルーフパネル７を閉鎖位置から後方へ開放していくと、押し下げ体２２の当接位置がアーム部２Ｂの前部から後部側に移動することにより、付勢手段５による上向き付勢力で、デフレクタ２はアーム部２Ｂの後部の横軸８を中心に前部が上昇するように回動する。
デフレクタ２の上昇は係合部１０がカム部１１内を移動することにより案内され、係合部１０が後下位置から前上位置へ前上向き円弧移動をし、それに伴って横軸８は支持部９内を前移動し、整流部２Ａには横軸８を中心とする後上向き円弧移動が加わっているので、結果として整流部２Ａは符号Ｓで示す略垂直上昇軌跡を描かせることになる。
【００２１】
整流部２Ａは上昇した作用姿勢Ａで、横軸８を中心とする後上向き円弧移動だけの場合より屋根３に近接した位置となり、ラバー１８による風の巻き込み防止がより効果的に行われる。また、支持部９及びカム部１１によるデフレクタ２の前移動を大きくして、垂直上昇よりも若干前傾軌跡を移動させることにより、ラバー１８を屋根３の開口部６側壁面３ａに接触させることもできる。
【００２２】
ルーフパネル７を閉鎖するときは、デフレクタ２は略垂直上昇軌跡Ｓを逆移動することになり、フレーム１６の樋部１６Ａ内に収納されるまで下降する。整流部２Ａが樋部１６Ａ内に入ってくるとき、ラバー１８は前下端が最初に樋部１６Ａに当接し、略垂直に降下してくるので、中途部が屈曲するだけでその前下端が樋部１６Ａと摺接するということは殆どない。
【００２３】
図５、６に示す本発明の第２の実施の形態において、支持部９は曲率の大きい円弧状の長孔に形成され、カム部１１はＳ字状のカム溝に形成されており、その上昇軌跡Ｓは、下降位置から前上向きに斜めに移動し、次に略垂直上昇し、その後に再び前上向きに斜めに移動するように描かれる。
この第２の実施の形態では、ラバー１８を上昇途中で開口部６側壁面３ａから離し、デフレクタ２が作用姿勢Ａになったときに壁面３ａに近接するように構成されており、下降時に整流部２Ａがフレーム１６の樋部１６Ａ内に入ってきたとき、ラバー１８の下端を樋部１６Ａに当接した後に、整流部２Ａを若干後下方移動して、ラバー１８の折り畳みが良好になるようにしている。
【００２４】
図７に示す本発明の第３の実施の形態において、支持部９は曲率の大きい円弧状の長孔に形成され、カム部１１は楕円孔で２つの円弧カム面１１ａ、１１ｂを対向状に形成されており、その昇降軌跡Ｓは略楕円形となり、整流部２Ａは上昇時に円弧カム面１１ａが作用して壁面３ａに離れながら移動し、下降時に円弧カム面１１ｂが作用して壁面３ａ近接しながら移動することになり、上昇軌跡と下降軌跡とが異なっている。
【００２５】
この第３の実施の形態では、ラバー１８を上昇途中で開口部６側壁面３ａから離して摩耗を減少するようにし、下降時に壁面３ａに近接するが、ラバー１８の下端を樋部１６Ａに当接した後に、整流部２Ａを若干後下方移動して、ラバー１８の折り畳みが良好になるようにしている。
尚、本発明は前記実施例に限定されるものではなく、種々変形することができる。例えば、横軸８、係合部１０を支持体４に設け、支持部９、カム部１１をアーム部２Ｂに設けることができる。カム部１１の形状は、第１の実施の形態では整流部２Ａを略垂直上昇から前上移動させるように形成したりでき、壁面３ａとの干渉を回避しながら、作用姿勢Ａでのラバー１８のシール性向上、収納姿勢Ｂでのラバー１８の折り畳み性向上を計るように、種々の形状を自由に決定すれば良い。
【００２６】
【発明の効果】
以上詳述した本発明によれば、左右アーム部２Ｂと支持体４の一方に横軸８を、他方にこの横軸８を前後移動可能に支持する支持部９をそれぞれ設け、かつ前記左右アーム部２Ｂと支持体４の一方に係合部１０を、他方にこの係合部１０と係合していてデフレクタ２の前上がり動作でこのデフレクタ２を前方移動させるカム部１１をそれぞれ設けることにより、デフレクタ２の昇降軌跡はカム部１１の形状で簡単かつ大きい自由度で決定でき、昇降軌跡の変更が容易にでき、デフレクタ２の昇降動作に必要な横軸８、支持部９、係合部１０及びカム部１１は、左右アーム部２Ｂと支持体４とに集中して設けることができ、製作及び組立て等が容易になり、部品点数の削減もできる。
【００２７】
カム部１１はデフレクタ２の整流部２Ａを略垂直上昇させる円弧カム溝であるので、デフレクタ２が後部を中心に回動するときの前部の整流部２Ａの上昇軌跡を略垂直上昇に決定でき、カム部１１の溝形状で、簡単かつ自由に決定できる。
カム部１１はデフレクタ２の整流部２Ａを略垂直上昇させた後に前上方移動させる円弧カム溝であるので、デフレクタ２が後部を中心に回動するときの前部の整流部２Ａの上昇軌跡を決定でき、カム部１１の溝形状で、単なる略垂直上昇だけでなく、前上方移動も簡単かつ自由に決定できる。
【００２８】
横軸８及び係合部１０を左右各アーム部２Ｂに設け、支持部９及びカム部１１を支持体４に設け、係合部１０をピンで形成し、支持部９を前後方向の長孔で形成しているので、横軸８、係合部１０、支持部９及びカム部１１が左右各アーム部２Ｂ及び支持体４に簡単に設けることができる。
付勢手段５を板バネで形成して、その前部をアーム部２Ｂに支持し、後部を支持体４に当接しているので、デフレクタ２の昇降に必要な部及び部材が総てデフレクタ２と支持体４との間に設けることができ、ユニットとして組み立てて屋根３側に取り付けることが可能になり、製作及び組立てが極めて容易にできる。
【図面の簡単な説明】
【図１】本発明の第１の実施の形態を示す断面側面図である。
【図２】支持体の平面図である。
【図３】要部の分解斜視図である。
【図４】整流部の昇降軌跡を示す断面図である。
【図５】本発明の第２の実施の形態を示す断面側面図である。
【図６】整流部の昇降軌跡を示す断面図である。
【図７】本発明の第３の実施の形態を示す断面側面図である。
【符号の説明】
１      デフレクタ装置
２      デフレクタ
２Ａ    整流部
２Ｂ    アーム部
３      屋根
４      支持体
５      付勢手段
６      開口部
７      ルーフパネル
８      横軸
９      支持部
１０    係合部
１１    カム部
１３    サンルーフ装置
【図１】
0003832948.tif 000002
【図２】
0003832948.tif 000003
【図３】
0003832948.tif 000004
【図４】
0003832948.tif 000005
【図５】
0003832948.tif 000006
【図６】
0003832948.tif 000007
【図７】
0003832948.tif 000008